Podtech/llm-jp-corpus-v4-ja_patent huggingface dataset:
(57)【要約】      （修正有）【課題】ネックレスなどを、見栄えがするように収容するホック付ケースを提供する。【解決手段】袋状の透明のフィルムで構成されたケース本体２と、ホック部３を備え、ホック部３は、ケース本体２の略中央上部に配置され、ホック部３を閉じて、ネックレス５をホック部３に吊るして収容できるようにした。【選択図】図２
0003209416.tif 000002
【実用新案登録請求の範囲】
【請求項１】
袋状の透明のフィルムで構成されたケース本体１と、ホック部３を備え、ホック部３は、ケース本体１の略中央上部に配置され、ホック部を閉じて、ネックレスをホック部に吊るして収容できるようにしたホック付ケース。
【考案の詳細な説明】
【技術分野】
【０００１】ネックレスなどを収容するケースに関する。
【背景技術】
【０００２】ネックレスなどは、透明なフィルム等にいれると、絡まって見栄えが悪かった。
【考案の概要】
【考案が解決しようとする課題】
【０００３】ネックレスなどを透明なフィルムのケースに、見栄えがするように収容できない。
【課題を解決するための手段】
【０００４】袋状の透明のフィルムで構成されたケース本体１と、ホック部３を備え、ホック部３は、ケース本体１の略中央上部に配置され、ホック部を閉じて、ネックレスをホック部に吊るして収容できるようにしたホック付ケースである。
【考案の効果】
【０００５】透明なフィルムのケースにネックレスなどを吊るして収容できる。
【図面の簡単な説明】
【０００６】
【図１】本願発明のホック付ケース（縦型）の構成
【図２】本願発明のホック付ケース（横型）にネックレスを収容した状態
【考案を実施するための形態】
【０００７】  図１で、本願発明のホック付ケース（縦型）の構成を示す。
図１に示すように、本発明のホック付ケース１は、袋状のケース本体１と、ホック部３と、ネックレスなどの装飾品を出し入れするための入出部４からなる。
ケース本体１は、透明のフィルムなどで構成された略四角状の袋である。
ホック部３は、ケース本体１の中央の上部に備える。
ホック部３は雄ホックと雌ホックからなり、ケース本体１の袋の表裏に取り付けられ、ホックが係合して閉じられるようにしている。
入出部４は、ホック付ケース１に装飾品を出し入れするためのもので、スライド式のチャックや，面ファスナで開閉できるようにしている
【０００８】図２はホック付ケース（横型）にネックレスを収容した状態を示す。
図１の縦型では入出部４をケース本体の上部に備えているが、図２の横型では、横側に入出部４を備える。
ネックレスを入出部４から入れて、そのネックレスがなすリングが、ホックを囲むように置き、ホックを閉じて、ホック付ケースを立てると、ネックレス５が、図２のようにホックから垂れ下がった状態で収容できる。
【産業上の利用可能性】
【０００９】    ネックレスなどを見栄え良く収容できるケースを提供する。
【符号の説明】
【００１０】    １    ホック付ケース
２    ケース本体
３    ホック部
４    入出部
５    ネックレス
【図１】
0003209416.tif 000003
【図２】
0003209416.tif 000004
(57)【要約】      （修正有）【課題】テイッシュボックスの置き場所を広範囲、効率的に確保できるテイッシュボックス固定ベルトを提供する。【解決手段】テイッシュボックス３の開口部へ伸縮可能ベルト１の一端に取り付けたフック２を引っ掛け、車のサンバイザー、ヘッドレストあるいは机の脚などの支持体４に抱きついた上、ベルトの他端に同じく取り付けたフックを正対する開口部へ引っ掛けることによって、テイッシュボックスの設置が可能な場所の広範囲化を図る。【選択図】図２
0003209417.tif 000002
【実用新案登録請求の範囲】
【請求項１】
適切な長さの伸縮可能ベルトの一端にフックを取り付け、他端に同じくフックを取り付けてテイッシュボックスの開口部を利用し、支持体を介して固定することを特徴とするテイッシュボックス固定ベルト。
【考案の詳細な説明】
【技術分野】
【０００１】主として自動車内のサンバイザー、ヘッドレストあるいは机の脚などの支持体に抱きつくことにより、狭い場所であってもテイッシュボックスの置き場所を確保することを目的とした。
【背景技術】
【０００２】従来品に比べ簡単、安価、迅速に設置をすることができる。
【考案の概要】
【考案が解決しようとする課題】
【０００３】テイッシュボックスの置き場所を広範囲、効率的に確保すること。
【課題を解決するための手段】
【０００４】テイッシュボックスの開口部を利用し、固定するための機構の一部として活用することにより究極の簡素化を求めた。つまり開口部へ伸縮可能ベルトの一端に取り付けたフックを引っ掛け、サンバイザー等の支持体に抱きついた上、該ベルトの他端に取り付けたフックを正対する開口部へ引っ掛けることによって、設置場所の広範囲化を図ることとした。
【考案の効果】
【０００５】開口部の縦または横方向のいずれにも使用ができ、サンバイザー、ヘッドレストあるいは机の脚など抱きつくべき支持体のあるところ設置も使用も便利である。
【考案を実施するための形態】
【０００６】伸縮可能ベルトの幅は１０ないし２５ミリ程度のものが使いやすく、フックも強度はそれなりに不要なので化成品でも金属の薄板でも可であり、本考案ほど簡素化を図れるものはこれまでに無い。
【図面の簡単な説明】
【０００７】
【図１】側面図
【図２】実施例の側面の断面図
【符号の説明】
【０００８】１      伸縮自在ベルト          ２      フック３      テイッシュボックス      ４      支持体
【図１】
0003209417.tif 000003
【図２】
0003209417.tif 000004
(57)【要約】      （修正有）【課題】刺股であると一見して気づかれないようにする効果を得る刺股専用のモップを提供する。【解決手段】モップを通常型の刺股１に金具３で着脱可能に取り付けて、公衆の場でも違和感のないモップ付き刺股を構成する。【選択図】図１
0003209412.tif 000002
【実用新案登録請求の範囲】
【請求項１】
刺股に着脱可能な刺股専用のモップ。
【考案の詳細な説明】
【技術分野】
【０００１】本考案は刺股に着脱可能なモップに関する。
【背景技術】
【０００２】本来刺股は武具の一種であり、公衆の目に触れるところでの設置には違和感があった。
【先行技術文献】
【０００３】
【特許文献１】特願２００４−１７３９６２
【考案の概要】
【考案が解決しようとする課題】
【０００４】公衆の場での設置に対する違和感を解消する。【０００５】刺股の使用目的が犯人確保と明確なため、平常時には人目につかない所へ保管せざるを得なかった。
【課題を解決するための手段】
【０００６】通常型の刺股にきわめて容易に着脱可能なモップを取り付ける。
【考案の効果】
【０００７】前述の違和感が解消されるため、どのような施設内でも比較的自由に複数の場所に設置できる利点をもち、より素早い犯人確保が可能となる。【０００８】また一見モップと見間違えるため犯人の注意を引くこともない。【０００９】このモップを刺股に取り付ける金具は洗濯バサミと似た構造であり着脱が極めて容易である。【００１０】また実際の使用にはモップを取り外さずとも、付けたまま使用しても構わない。【００１１】犯人に当たる衝撃でみずから容易に外れる。
【図面の簡単な説明】
【００１２】
【図１】刺股に取り付けたモップの正面図。
【００１３】
【図２】モップを刺股に取り付ける金具の斜視図。
【００１４】
【考案を実施するための形態】
【００１５】以下、本考案の実施の形態を図に基づいて説明する。
【実施例１】
【００１６】図１のように、モップを刺股本体のＵ字部分に取り付ける。【００１７】モップを取り付けた刺股を施設内任意の場所に設置して緊急時には一番最寄りのものを使用する。
【産業上の利用可能性】
【００１８】本考案の刺股に着脱可能なモップは犯人捕縛用の刺股を製造する産業で利用される。
【符号の説明】
【００１９】１  パイプ状の通常型の刺股２  モップを構成する半円形の木板３  モップと刺股を繋ぐ金具４  モップを構成する繊維質の束５  金具用ビス
【図１】
0003209412.tif 000003
【図２】
0003209412.tif 000004
(57)【要約】【課題】本考案は、ノコギリ往復刈刃装置で安全に芝の刈込み等を行なう事。【解決手段】本考案は草刈機のノコギリ往復刈刃装置において、往復運動するノコギリ２を上部押さえ部材３と下部押さえ部材４で挟むように構成して、芝等を切断する事により、安全に芝等を刈り込む課題を解決した。【選択図】図１
0003209435.tif 000002
【実用新案登録請求の範囲】
【請求項１】
草刈機のノコギリ往復刈刃装置において、往復運動するノコギリ部材２を上部押え部材３と下部押え部材４で挟むように構成して、芝等を切断する事を特徴とするノコギリ往復刈刃装置。
【考案の詳細な説明】
【技術分野】
【０００１】  本考案は、芝の刈り込み、等に使用されるノコギリ往復刈刃装置に関するものである。
【背景技術】
【０００２】  バリカン往復刈刃装置で芝の刈り込み等を行っていた。
【考案の概要】
【考案が解決しようとする課題】
【０００３】  作業中のバリカン刃は大変危険を伴います。従って、ノコギリ刃を露出せずに、安全に芝の刈り込み等を行える構造にする事により、従来の危険を伴った作業の欠点を解決しようとするものである。
【課題を解決するための手段】
【０００４】本考案は、草刈機のノコギリ往復刈刃装置において、往復運動するノコギリ部材２を上部押さえ部材３と下部押さえ部材４で挟むように構成して、芝等を切断する事により問題点を解決している。
【考案の効果】
【０００５】上述の様に、本考案のノコギリ往復刈刃装置はノコギリ部材２を上部押さえ部材３と下部押さえ部材４で挟む事により、ノコギリ刃の露出をさせないので、安全に芝等を刈り込む効果がある。
【図面の簡単な説明】
【０００６】
【図１】  本考案を実施したノコギリ往復刈刃装置の側面図
【図２】  ノコギリ往復刈刃の平面図
【図３】  使用するノコギリ部材の平面図
【図４】  アサリ無しのノコギリ部材２を使用した側面図
【図５】  アサリ有りのノコギリ部材２を使用した側面図
【考案を実施するための形態】
【０００７】ノコギリ部材２を上部押さえ部材３と下部押さえ部材４で挟み、ノコギリ刃との接触面で芝等を刈り込む構造となっている。
【実施例】
【０００８】  以下、添付図面に従って一実施例を説明する。Ｍはノコギリ往復刈刃装置の外観で、操作桿取付部材１に草刈機動力部（図示せず）を接続し、ノコギリ部材２を往復運動させる。ノコギリ部材２は上部押さえ部材３と下部押さえ部材４に挟まれて往復運動する様に構成されている。【０００９】本考案の一実施例は上述の如き構成からなるものであるから、上部押さえ部材３の上部切断部Ａと下部押さえ部材４の下部切断部Ｂに挟まれたノコギリ部材２の刃によって、芝は切断されて、芝を刈り込む事ができる。しかも、ノコギリ部材２は上部押さえ部材３と下部押さえ部材４に挟まれているので、ノコギリ刃を保護した状態となり、安全に芝等を刈り込む事が可能になる。
【符号の説明】
【００１０】  １    操作桿取付部材
２    ノコギリ部材
３    上部押さえ部材
４    下部押さえ部材
Ａ    上部切断部
Ｂ    下部切断部
【図１】
0003209435.tif 000003
【図２】
0003209435.tif 000004
【図３】
0003209435.tif 000005
【図４】
0003209435.tif 000006
【図５】
0003209435.tif 000007
(57)【要約】      （修正有）【課題】軽度・中度老眼の人々のための比較的低コストのオートフォーカス老眼レンズを提供する。【解決手段】老眼レンズは、中心が厚くかつ周辺が薄い厚さ勾配構造を有し、レンズの周辺からレンズの中心へ度数が０度から＋２５０度まで徐々に増加されている。老眼レンズの累進チャンネルの長さは２８〜３６ｍｍであり、最小の実装高さは１４ｍｍである。老眼レンズの中心厚さは１．２ｍｍであり、周辺の縁部厚さは０．５ｍｍである。本考案は、アジア人の顔型の特徴を十分に考慮して、より適切な最小の実装高さを使用し、中心が厚くかつ周辺が薄い厚さ勾配構造を使用し、高齢者の通常の閲覧習慣に適する。【選択図】図１
0003209808.tif 000002
【実用新案登録請求の範囲】
【請求項１】
オートフォーカス老眼レンズであって、前記オートフォーカス老眼レンズは、中心が厚くかつ周辺が薄い厚さ勾配構造を有し、レンズの周辺からレンズの中心へ度数が０度から＋２５０度まで徐々に増加されている、オートフォーカス老眼レンズ。
【請求項２】
前記オートフォーカス老眼レンズの累進チャンネルの長さは２８〜３６ｍｍであり、最小の実装高さは１４ｍｍである、請求項１に記載のオートフォーカス老眼レンズ。
【請求項３】
前記オートフォーカス老眼レンズの中心厚さは１．２ｍｍであり、周辺の縁部厚さは０．５ｍｍである、請求項１に記載のオートフォーカス老眼レンズ。
【請求項４】
前記オートフォーカス老眼レンズの材料は、ガラスまたは高分子材料である、請求項１に記載のオートフォーカス老眼レンズ。
【考案の詳細な説明】
【技術分野】
【０００１】
本考案は光学レンズの分野に関し、具体的に軽度・中度老眼の人々のためのオートフォーカス老眼レンズに関する。
【背景技術】
【０００２】
オートフォーカスレンズは、特に老眼の人々のために設計されているレンズである。遠用、中および近距離用の一連の連続的な、途切れのない滑らかな水平曲線による連結を用いて、レンズの曲率が経線に沿ってレンズの上部から底部まで連続的に増加することによって、遠、中、近の異なる距離に対する視力矯正を解決するとともに、像とびも消除する。オートフォーカスレンズと単焦点レンズは同じように見え、レンズの表面には境界線がなく、使用者の外観に対する反感をなくす。
【０００３】
欧米などの先進国において、老眼の人々が累進多焦点レンズを着用するのは一般的である。しかしながら、千元以上または数千元の価格のため、数多くの中国の消費者はこれを断念する。中国の老眼の人々のために、手頃な価格のオートフォーカスレンズを提供することは、中国のレンズ加工企業の責任である。現在、ほとんどの中国の高齢者は単に老眼あり、近視で老眼になる患者の割合が非常に低い。累進多焦点レンズの購入には費用が非常に高い。一方、単純に老眼レンズを購入すれば、レンズ着脱の痛みを繰り返すことが多い。オートフォーカスレンズは、中国のこれらの高齢患者に対して最適なオプションを提供する。本考案のオートフォーカスレンズは、レンズの設計が最適化され、生産コストが最大限に低減できることによって、レンズの製造価格を大きく下げるとともに、老眼の視覚的要求を満たす。
【考案の概要】
【考案が解決しようとする課題】
【０００４】
本考案の目的は、従来技術の欠陥を克服し、軽度・中度老眼の人々のための比較的低コストのオートフォーカス老眼レンズを提供することである。
【課題を解決するための手段】
【０００５】
具体的な手段は下記のとおりである。オートフォーカス老眼レンズであって、該オートフォーカス老眼レンズは、中心が厚くかつ周辺が薄い厚さ勾配構造を有し、レンズの周辺からレンズの中心へ度数が０度から＋２５０度まで徐々に増加されている。
【０００６】
ここで、上記のオートフォーカス老眼レンズの累進チャンネルの長さは２８〜３６ｍｍであり、最小の実装高さは１４ｍｍである。
【０００７】
ここで、上記のオートフォーカス老眼レンズの中心厚さは１．２ｍｍであり、周辺の縁部厚さは０．５ｍｍである。
【０００８】
また、上記のオートフォーカス老眼レンズの材料はガラスまたは高分子材料である。
【０００９】
本考案は、アジア人の顔型の特徴を十分に考慮して、より適切な最小の実装高さを使用し、周囲から中心への累進設計を使用し、高齢者の通常の閲覧習慣に適する。
【図面の簡単な説明】
【００１０】
【図１】本考案の一実施例のオートフォーカス老眼レンズの正面図である。
【図２】実施例の側面図である。
【考案を実施するための形態】
【００１１】
各実施例をさらに説明するために、本考案は添付の図面を提供する。これらの図面は、本考案に開示された内容の一部であり、主に実施例を説明するために用いられ、明細書の関連する記述と合わせて実施例の作用原理を説明することもできる。これらの内容を参照して、当業者は、他の可能な実施形態および本考案の利点を理解することができる。以下では、図面と具体的な実施形態を用いて本考案を更に詳細に説明する。
【００１２】
原料が型に注入され、固化プロセスで固化された後、脱型、縁加工、洗浄、硬化、フィルム被覆及び検査などの工程を経って、図１に示すようなレンズが取得される。該レンズは、樹脂材料を用いることによりレンズの耐圧性が向上される。該レンズは、左右縁側の加入度数が０．００Ｄ、上下両側の加入度数が０．０６Ｄ、中心の加入度数が２．５０Ｄであり、周囲の縁部から中心への度数が徐々に高くされる。このレンズの外側の領域を度無し領域とし、中心を老眼領域としてもよい。該レンズの横の長さは５６ｍｍであり、縦の長さは３９ｍｍである。本レンズは、累進チャンネル（累進帯）の長さが２８〜３６ｍｍであり、最小の実装高さが１４ｍｍであり、アジア人の顔型に適する。
【００１３】
図２には、本実施例のオートフォーカス老眼レンズの側面図が示されている。本レンズの中心厚さは１．２ｍｍであり、縁部厚さは０．５ｍｍである。
【００１４】
好適な実施形態を参照しながら本考案を具体的に示して説明したが、当業者であれば、添付の実用新案登録請求の範囲に限定されている本考案の精神および範囲から逸脱せずに、本考案は形態および細部で様々な変更が可能になり、これらの変更はすべて本考案の保護範囲内に含まれることが理解できる。
【図１】
0003209808.tif 000003
【図２】
0003209808.tif 000004
(57)【要約】      （修正有）【課題】車椅子の足乗せに取手を付けるアタッチメントを提供する。【解決手段】取手部１を設けたロの字の一部を切り欠いたような細長い板状の形状部２の中にコの字の両端部側を内側にＬ字に曲げた細長い板状の形状部３の上部４を可動できるように設ける。足乗せ５に取り付け、取手部１を手７でつかんで足乗せ５を動かす。【選択図】図７
0003209863.tif 000002
【実用新案登録請求の範囲】
【請求項１】
取手部を設けたロの字の一部を切り欠いたような細長い板状の形状部の中にコの字の両端部側を内側にＬ字に曲げた細長い板状の形状部の上部を可動できるように設けた車椅子の足乗せに取手を付けるアタッチメント。
【考案の詳細な説明】
【技術分野】
【０００１】  本考案は、車椅子の足乗せに取手を付けるアタッチメントに関するものである。
【背景技術】
【０００２】  従来、車椅子の足乗せは足を乗せる部分を直接、手でつかんで動かしていた。
【考案の開示】
【考案が解決しようとする課題】
【０００３】  従来は次のような欠点があった。
従来、車椅子の足乗せは靴をはいたまま足を乗せるため、足乗せは汚れており、足乗せを直接、手でつかんで動かすのは衛生的ではなかった。
本考案は、上記の欠点を除くためになされたものである。
【課題を解決するための手段】
【０００４】  取手部を設けたロの字の一部を切り欠いたような細長い板状の形状部の中にコの字の両端部側を内側にＬ字に曲げた細長い板状の形状部の上部を可動できるように設けたものを車椅子の足乗せに取り付けるアタッチメント。
本考案は、以上のような構成により問題点を解決している。
【考案の効果】
【０００５】  取手部をつかんで足乗せを動かすので足乗せを直接、手でつかまないので衛生的である。
着脱自在なアタッチメントなので他の車椅子の足乗せにも取り付けることができる。
取手部が可動するので取手部の位置を自由に決めることができ、向きを変えることにより左右の足乗せに取り付けることができる。
【考案を実施するための最良の形態】
【０００６】  以下、本考案の実施例について説明する。
取手部１を設けたロの字の一部を切り欠いたような細長い板状の形状部２の中にコの字の両端部側を内側にＬ字に曲げた細長い板状の形状部３の上部４を可動できるように設ける。
取手部１はロの字の一部を切り欠いたような細長い板状の形状部２により、上部４の細長い板状の部分を可動するので図１や図４や図５のようにすることができる。
ロの字の一部を切り欠いたような細長い板状の形状部２は図３にある形状である。
足乗せ５に取り付け、取手部１を手９でつかんで足乗せ５を動かす。
取手部１は可動するので向きを反対にすることで左右の足乗せに取り付けることができる。
取手部１を可動させて向きを反対にすると図９にあるように右側の足乗せ８にも取り付けることができる。
足乗せ５に取り付けると、ロの字の一部を切り欠いたような形状部２が上部４と足乗せ５の間にはさまって接することで取手部１が可動しなくなる。
可動しなくなることで取手部１が固定されたような状態となり足乗せ５を操作しやすくなる。
図９は取手部１に握り部９を設けている。
取手部１にスポンジゴムやプラスチックなどの握り部９を設けることより取手部１が握りやすく、操作しやすくなる。
形状、位置、素材をいろいろにすることにより、多種多様にすることができる。
【図面の簡単な説明】
【０００７】
【図１】本考案の斜視図である。
【図２】本考案の後方からの斜視図である。
【図３】本考案の拡大した右側面の断面図である。
【図４】本考案の取手部を可動させた斜視図である。
【図５】本考案の取手部を可動させた斜視図である。
【図６】本考案の足乗せに取り付けた斜視図である。
【図７】本考案の取手部を手でつかんだ斜視図である。
【図８】本考案の取手部を手でつかんで動かした斜視図である。
【図９】本考案の足乗せに取り付けた斜視図である。
【図１０】本考案の取手部に握り部を設けた斜視図である。各図の各部において主要部以外は省略している。各図の各部において波線以外の部分は省略している。
【符号の説明】
【０００８】１    取手部
２    ロの字の一部を切り欠いたような細長い板状の形状部
３    コの字の両端部側を内側にＬ字に曲げた細長い板状の形状部
４    上部
５    足乗せ
６    車椅子
７    手
８    足乗せ
９    握り部
【図１】
0003209863.tif 000003
【図２】
0003209863.tif 000004
【図３】
0003209863.tif 000005
【図４】
0003209863.tif 000006
【図５】
0003209863.tif 000007
【図６】
0003209863.tif 000008
【図７】
0003209863.tif 000009
【図８】
0003209863.tif 000010
【図９】
0003209863.tif 000011
【図１０】
0003209863.tif 000012
(57)【要約】【課題】  衣類には、ブランド、サイズ、素材、注意等の各種表示が施されたタグの設置が法律で義務付けられているが、人体に直接触れる個所、例えば首元に付いている場合、敏感肌の使用者にあっては、タグが触れるとチクチクしてかゆくなることがある問題を解決するタグを提供する。【解決手段】  衣類の内側に付けられて各種表示が施された衣料用のタグ１であって、その角部３を曲線形状とした。【選択図】図１
0003209862.tif 000002
【実用新案登録請求の範囲】
【請求項１】
各種表示が施されたタグであって、その角部を曲線形状としたことを特徴とするタグ。
【請求項２】
前記タグは、衣類の内側に付けられて各種表示が施されたタグであることを特徴とする請求項１に記載のタグ。
【考案の詳細な説明】
【技術分野】
【０００１】  本考案は、例えば、衣類の内側に付けられて各種表示が施されたタグに関する。
【背景技術】
【０００２】  一般消費者が製品の品質を正しく認識し、その購入に際し不測の損失を被ることのないように、事業者に家庭用品の品質に関する表示を適正に行うよう要請し、一般消費者の利益を保護することを目的とする「家庭用品品質表示法（昭和３７年５月４日法律第１０４号）」に基づいて、例えば、衣類には、ブランド、サイズ、素材、洗濯時注意等の各種表示が施されたタグの設置が義務付けられており、一般的には目立たないように衣類の内側に付けられている（例えば、特許文献１，２参照）。
【先行技術文献】
【特許文献】
【０００３】
【特許文献１】特開２００４−６９７４５号公報
【特許文献２】実用新案登録第３１１７６１０号公報
【考案の概要】
【考案が解決しようとする課題】
【０００４】  前記タグは、ポリエステルやコットン素材からなり、Ｔシャツやブラウスの衿等に適している「ストレート」「マンハッタンホールド」「ブックホールド」、Ｔシャツやブラウスや肌着の衿、手作り小物、カバン、子供服等に適している「エンドホールド」、Ｔシャツやブラウスやカバンの脇等に適している「センターホールド」等の各種タイプがある。【０００５】  これらのタグは、人体に直接触れる個所、例えば首元に付いている場合、敏感肌の使用者にあっては、タグが触れるとチクチクしてかゆくなることがあり、衣類使用時における使用者の不快感を生じるという問題があった。【０００６】  本考案は、このような従来の問題を解決するものであり、特に、衣類用として用いる場合に大きな効果を有するものである。
【課題を解決するための手段】
【０００７】  本考案に係るタグは、各種表示が施されたタグであって、その角部を曲線形状としたものであり、特に、衣類の内側に付けられて各種表示が施されたタグである。
【考案の効果】
【０００８】  本考案によれば、例えば、タグが人体に直接触れても使用者が不快感を意識することがなくなる。
【図面の簡単な説明】
【０００９】
【図１】  本考案の実施例を示す平面斜視図である。
【考案を実施するための形態】
【００１０】  本考案に係るタグは、各種表示が施されたタグであって、その角部を曲線形状としたことを特徴とするものであり、特に、衣類用として用いることにより、衣類使用時における使用者の不快感を抑えて衣類装着感が向上するものである。
【実施例】
【００１１】  以下、添付図面に従って一実施例を説明すると、１は、衣類縫製時にその衣類（図示しない）の内側において前記衣類と一体に縫い付けられる衣類用の「センターホールド」タイプのタグである。【００１２】  このタグ１には、例えば、ブランド、サイズ、素材、注意等の各種表示（図示しない）が施されている。【００１３】  前記衣類に取り付けられるタグ１の縫製部２（図面の上側）の対極に位置する端部（図面の下側）の２個所の角部３は、通常は破線で示すように９０度で鋭角に切断されたが、本実施例では、実線で示すように円弧上の曲線形状としている。【００１４】  斯かる構成により、タグ１の角部３が人体に直接触れても、使用者がチクチクしてかゆくなる等の不快感を意識することがなくなる。【００１５】  なお、タグ１は、衣類用に限らず、ベビータオルやぬいぐるみの外周部に取り付ければ、乳幼児等の皮膚が弱い使用者が触れても違和感のない（前記不快感の解消）、安全性が高い（タグ１の角部３が刺さらない）ものとなり好適である。
【符号の説明】
【００１６】  １  タグ
２  縫製部
３  角部
【図１】
0003209862.tif 000003
(57)【要約】      （修正有）【課題】使い易く、耐久性に優れ、保管、運搬にも便利な簡易トイレを提供する。【解決手段】ベース、便座部及び蓋からなる便座を一斗缶の開口部に着脱自在に取付けてなる一斗缶を利用した簡易トイレであって、便座部は使用する人の体重を考慮し、段ボールによる紙管を片側４〜６本を一斗缶の内側両方に立てて荷重に耐える様にして、その上に便座となる段ボールを、缶の蓋になる様に被せ、真ん中に開口部を設けてそこにナイロン袋を一斗缶内部に押し込み、用便する構成にした。【選択図】図１
0003209864.tif 000002
【実用新案登録請求の範囲】
【請求項１】
ベース、便座部及び蓋からなる便座を一斗缶の開口部に着脱自在に取付けてなる一斗缶利用簡易トイレにおいて、便座部は使用する人の体重を考慮し段ボールによる紙管を片側４〜６本を一斗缶の内側両方に（合計８〜１２本）立てて過重に耐える様にして、その上に便座となる段ボールを缶の蓋になる様に被せ真ん中に開口部を設けてそこにナイロン袋を一斗缶内部に押し込み用便するかたちにしたことを特徴とする缶易トイレ。
【請求項２】
普段は一斗缶の開口部の中にトイレットペーパーや消臭剤等トイレとして使用するために必要なものを一斗缶内部に入れて置き非常時にはいつでも使用可能な状態として保管することを特徴とする請求項１記載の缶易トイレ。
【考案の詳細な説明】
【技術分野】
【０００１】  本考案は、一斗缶利用の移動式を特徴とする簡易式缶易トイレに関するものである。
【背景技術】
【０００２】  阪神大震災・東日本大震災等の経験から明らかなように緊急災害時に先ず必要とされるのが、飲料水、食料、衣服等と共にトイレであるが、当然屋内水洗トイレ等は使用不能となるので、取敢えずその代理となるトイレが必要である。
【考案の概要】
【考案が解決しようとする課題】
【０００３】  そこで、本考案は簡易トイレでありながら、通常のトイレにより近い外観体裁と使い勝手の良さが得られるように、特に便座の外観構成に意を用いると共に、便を受け、溜める容器として、定規格のものが安価大量に供給可能な上に、密封容器として極めて優れた性能を保有する一斗缶を使用するようにした簡易トイレを開発、提供することを解決しようとした課題としたものである。
【課題を解決するための手段】
【０００４】  そこで、本考案では、ベース、便座部及び蓋からなる便座を、蓋を取外した一斗缶内に便袋と段ボールをセットした構造にした。
【考案の効果】
【０００５】  本考案の一斗缶利用の移動式の簡易式缶易トイレは、緊急災害時とは言え、人間の尊厳に係るものであるから、それなりの外観体裁も使い易さも備えたものの方が望ましいが、それに適合するものは例えば建設工事現場等に設置されるボックス型の移動トイレのように大掛かりなものであって、例えば、緊急災害時に避難所、個々の家庭、個人等が数日の間工合良く使用できるような簡易トイレとした。【０００６】  本考案品の特徴として、
（１）キャンプ、ドライブ、釣り等のレジャーにおいてトイレの無いような場所に行く場合などに、容易に運搬できて、工合良く使用でき、特に溜まった便をその場に廃棄せず持ち帰り処分する必要がある場合等に適応できるような簡単トイレとして使用できる。
（２）内外圧衝撃等に対する耐久強度、水気密性に優れた密封性能、寸法形状の統一性、定規格等、容器として極めて優れた特性を有する一斗缶に日常使い慣れたトイレの便座に極めて近い外観体裁と使い勝手の良さを備えた本発明独自構成の便座を着脱自在に設けたものであるため、使い易く、耐久性に優れ、また、保管、運搬にも極めて便利な簡易トイレを大量、安価に提供し得る。
（３）蓋を外し、便座部（段ボール）に腰掛けて使用し（大便、女性）、また、蓋と便座部一緒にあけて男性の小用時に使用できるようにして、通常のトイレと同様に使い分けができるようにしたので、使い勝手が良いばかりでなく、使用時に便座等を汚すのを減少できる利点がある。
（４）一斗缶は規格品が大量に生産、流通しており、また使用済み（中古）のものも莫大個数発生しているなど、常時大量供給が可能であり、清掃も簡単である。
【図面の簡単な説明】
【０００７】
【図１】本考案の実施例の概略図である。
【考案を実施するための形態】
【０００８】  本考案の好ましい実施形態の例として、以下に図面に基づいて、詳細に説明する。図面番号と図面に示された符号と照合しながら、説明する。
【０００９】  図１は本考案の一斗缶利用の移動式の簡易式缶移動トイレの概略図である。
【００１０】  本考案の実施例を、図１によって説明する。簡易式缶移動トイレ（１１）・便座部（１２）・一斗缶（１３）・ベース（１４）である。
ベース１４に便座部１２を一斗缶１３の上部にのせ、着脱自在に取付けている。
【符号の説明】
【００２１】
【符号の説明】    １１      簡易式缶移動トイレ
１２      便座部
１３      一斗缶
１４      ベース
【図１】
0003209864.tif 000003
(57)【要約】      （修正有）【課題】股関節の可動域が確保でき、装具を付けていても動き易く、股関節部分の身体と装具が接触することによる痛みを和らげることができる側弯症矯正具アンダーアームタイプ装具を提供する。【解決手段】側弯症矯正装具アンダーアームタイプ装具の左右腸骨稜部を股関節の可動域に合わせてカットし、カットした股関節の装具部分３にレザーを設ける。【選択図】図１
0003209866.tif 000002
【実用新案登録請求の範囲】
【請求項１】
側弯症矯正装具アンダーアームタイプであって左右腸骨稜部にレザーカットを設けたことを特徴とするアンダーアームタイプ装具。
【考案の詳細な説明】
【技術分野】
【０００１】本考案は側弯症矯正装具アンダーアームタイプの左右腸骨稜部にレザーカットを設けた装具に関するものである。
【背景技術】
【０００２】（イ）従来の側弯症矯正装具アンダーアームタイプの左右腸骨稜部について、股関節の可動域を確保できるよう装具をカットする。
（ロ）カットした部分に合わせてレザーを装着することで股関節の可動域を向上させる。
【先行技術文献】
【非特許文献】
【０００３】
【非特許文献１】株式会社共和義肢製作所  製品紹介  側弯症矯正具
【考案の概要】
【考案が解決しようとする課題】
【０００４】（イ）側弯症矯正具アンダーアームタイプ装具は、上半身を固い装具で覆う形状であり左右腸骨稜部が固定されている為、股関節の可動域が大きく制限され日常生活において大変不便である。具体的な例としては、装具を付けたままトイレに行けない、自転車に乗れない、小走りできない、靴の脱ぎ履きが出来ない、普通に歩行していても股関節部分が装具にあたり痛みが出る、転倒し易い等である。
（ロ）側弯症は主に子供に発症する病気である。装具を付けて学校に行き、部活をし、日常生活としてこれを何年も送るということは身体的にも精神的にも大変な負荷を伴う為、少しでもその負荷を軽減することはとても重要な課題である。また、子供は身体的に未熟である為、装具装着による転倒事故を防ぐことも重要である。
【課題を解決するための手段】
【０００５】（イ）側弯症矯正装具アンダーアームタイプの左右腸骨稜部を股関節の可動域に合わせて装具をカットする。
（ロ）カットした股関節の装具部分にレザーを設ける。
【考案の効果】
【０００６】（イ）股関節の可動域に合わせて装具をカットしたことで、股関節の可動域が確保でき、装具を付けていても動き易くなった。
（ロ）カットした部分にレザーを設けたことで、股関節部分の身体と装具が接触することによる痛みを和らげた。
【図面の簡単な説明】
【０００７】
【図１】本考案の側弯症矯正装具アンダーアームタイプの左右腸骨稜部にレザーカットを設けた前面図である。
【考案を実施するための形態】
【０００８】（イ）側弯症矯正装具アンダーアームタイプであること。
（ロ）装具の左右腸骨稜部を股関節の可動域に合わせてカットすること。
（ハ）カットした部分に合わせてカットしたレザーを設けること。
【実施例】
【０００９】（イ）従来の側弯症矯正装具アンダーアームタイプの左右腸骨稜部について、股関節の可動域を確保できるよう装具をカットし、カットした部分に合わせてレザーを装着することで股関節の可動域が向上する。
【産業上の利用可能性】
【００１０】（イ）全国の装具製作会社はアンダーアーム装具を採用しているが、股関節可動域における装具装着時の日常生活による不便、問題点は同一である為、本考案を利用することで総じて問題を改善できる。
【符号の説明】
【００１１】１    装具
２    背面締め付け紐
３    レザーカット
【図１】
0003209866.tif 000003
(57)【要約】      （修正有）【課題】一般的な汎用工具差しで携帯可能なハンマーを提供する。【解決手段】柄体１の先端に打撃体（打撃用ヘッド）２を装着してなるハンマーにおいて、打撃体２は一方の端面を打撃面２１に形成し、他方端面には、係止透孔３１を備えた吊下げ装着部３を打撃体２と一体に突出形成してなり、カラビナタイプの工具差しにおけるカラビナ部分（工具吊下げ部）に、一般工具と同様に係止透孔３１にカラビナ（工具吊下げ部）を挿通することで携帯する。【選択図】図１
0003209893.tif 000002
【実用新案登録請求の範囲】
【請求項１】
柄体の先端に打撃体を装着してなるハンマーにおいて、係止透孔を備えたけ吊下げ装着部を打撃体と一体に形成してなることを特徴とするハンマー。
【請求項２】
吊下げ部を打撃面と対向する他方打撃面形成箇所に、前記打撃面に替えて突出形成してなる請求項１記載のハンマー。
【考案の詳細な説明】
【技術分野】
【０００１】
本考案は、携帯機能を高めたハンマーに関するものである。
【背景技術】
【０００２】
ハンマーの構成は周知のとおり柄体の先端に打撃用ヘッド（打撃体）を装着しているもので、このＴ状の工具を作業中に携帯するためには、ハンマーの工具形状に対応する吊下げ部を備えた工具差し（携帯具）を使用している。
【０００３】
例えば板状のベルト通し本体に、柄を差し入れる吊下げリングを設けた工具差し（特許文献１）、前記の吊下げリングに替えて吊下げチェーンを備えた工具差し（特許文献２）が知られている。
【０００４】
また種々の工具の吊下げ携帯を可能とするために、ベルト通しを設けた板状本体に、工具吊下げ部となるカラビナを、縦リング状に装着した工具差しが広く使用されている（特許文献３・カラビナタイプの工具差し）。
【先行技術文献】
【特許文献】
【０００５】
【特許文献１】実開平４−３２８８８１号公報。
【特許文献２】実開平７−２４５５７４号公報。
【特許文献３】登録実用新案３１１５９９４号公報。
【考案の概要】
【考案が解決しようとする課題】
【０００６】
ハンマーを携帯する器具は、前記した特許文献１，２に開示されているように、ハンマー用として使用するものであるが、前記の工具差しは他の器具を携帯するのに適した汎用性を備えているものでは無いので、ハンマーの以外の器具の携帯が必要な場合もあり、或いはハンマーを必要としない場合には、別の工具差しを装着する必要があり、この工具差し変更装着が煩瑣である。
【０００７】
そこで本考案は、特許文献３に開示されているような種々の工具の携帯に汎用される工具刺しての携帯を可能とした新規形態のハンマーを提案したものである。
【課題を解決するための手段】
【０００８】
本考案に係るハンマーは、柄体の先端に打撃体を装着してなるハンマーにおいて、係止透孔を備えた吊下げ装着部を打撃体と一体に形成してなることを特徴とするものである。
【０００９】
而して前記のハンマーは、前記の汎用性を備えたカラビナタイプの工具差しを作業者が装着すると、一般工具と同様に係止透孔をカラビナ（工具吊下げ部）に外挿して携帯できることになる。
【考案の効果】
【００１０】
本考案の構成は上記のとおりで、ハンマー対応の工具差しを使用することなく、一般的な汎用性工具差しで携帯できるハンマーを提供したものである。
【図面の簡単な説明】
【００１１】
【図１】本考案の実施形態の斜視図。
【図２】同携帯状態の説明図。
【考案を実施するための形態】
【００１２】
次に本考案の実施形態について説明する。実施形態に示したハンマーは、基本的に従前のハンマーと同様に柄体（パイプ柄、木柄等）１の先端に打撃体（打撃用ヘッド）２を装着しているもので、打撃体２は一方の端面を打撃面２１に形成し、他方端面には、係止透孔３１を備えたけ吊下げ装着部３を打撃体２と一体に突出形成してなるものである。
【００１３】
前記のハンマーは、作業者が装着したカラビナタイプの工具差しＡにおけるカラビナ部分（工具吊下げ部）Ｂに、一般工具と同様に係止透孔３１にカラビナ（工具吊下げ部）Ｂを挿通することで携帯できることになる。
【符号の説明】
【００１４】
１      柄体
２    打撃体（打撃用ヘッド）
２１    打撃面
３    吊下げ装着部
３１    係止透孔
【図１】
0003209893.tif 000003
【図２】
0003209893.tif 000004
(57)【要約】      （修正有）【課題】水中で滑らかに動く水車を提供する。【解決手段】水車のシャフト４に、窪みを有する羽根２を付け、シャフトの水平線と羽根の位置を角度２０度以上とする。【選択図】図２
0003209834.tif 000002
【実用新案登録請求の範囲】
【請求項１】
図１の羽根の側面図とする水車。
【請求項２】
水車の水平線と羽根の位置を角度２０度以上とする水車。
【考案の詳細な説明】
【考案の名称】
【考案が解決しょうとする課題】
【０００１】  水中において水車が滑らかに回転する。
【０００２】  水中で羽根の位置を動かす。
【考案の効果】
【０００３】  河川で増水、減水したときでも水車を回転することが出来る。
【考案を実施するための形態】
【０００４】  以下、本案の実施について説明する、図１にもとずいて水車の羽根を図のように製作する、水車の水平線と羽根の位置を角度２０度以上とする事により滑らかに回転する。
【図面の簡単な説明】
【０００５】
【図１】羽根の側面図
【図２】水車と羽根の位置図
【符号の説明】
【０００６】  １  水車      ２  羽根      ３  羽根の支点      ４  シャフト
【図１】
0003209834.tif 000003
【図２】
0003209834.tif 000004
【手続補正書】
【提出日】平成28年8月24日(2016.8.24)
【手続補正１】
【補正対象書類名】実用新案登録請求の範囲
【補正対象項目名】全文
【補正方法】変更
【補正の内容】
【実用新案登録請求の範囲】
【請求項１】
水車のシャフトに、窪みを付けた羽根とシャフトに水平の羽根を付けた水車。
【請求項２】
水車の水平線と羽根の位置を角度２０度以上とする水車。
【手続補正書】
【提出日】平成28年11月8日(2016.11.8)
【手続補正１】
【補正対象書類名】実用新案登録請求の範囲
【補正対象項目名】全文
【補正方法】変更
【補正の内容】
【実用新案登録請求の範囲】
【請求項１】
水車のシャフトに、窪みを付けた羽根を付けた水車。
【請求項２】
シャフトの水平線と羽根の位置を角度２０度以上とする水車。
【手続補正書】
【提出日】平成29年1月24日(2017.1.24)
【手続補正１】
【補正対象書類名】実用新案登録請求の範囲
【補正対象項目名】請求項２
【補正方法】変更
【補正の内容】
【請求項２】
前記シャフトの水平線と前記羽根の位置を角度２０度以上とする請求項１記載の水車。
(57)【要約】      （修正有）【課題】高所作業に使用される足場装置に関し、必要な場所に足場を容易に設けることができ、しかも、簡単に移設できる高所作業用足場装置を提供する。【解決手段】鉄骨フレームと面材と部材とを組み付けて、略方形状の作業床１と、該床面周縁に立設した手摺りと、該作業床１の前後の所定位置に等間隔に複数設けたフック掛け部３と、該装置背面中央に設けたコの字形の開口部４と、該作業床１の裏面に突出して左右平行に設けた一対の支持フレーム５とを有し、該フック掛け部３に外部ワイヤーを接続してクレーンで吊り上げたり、該作業床１の裏側に設けた該支持フレーム５を油圧ショベルのアーム先端のバケットに外部金具を介して取り付け固定することが可能な構造として、これらを一体に成したことを特徴とした。【選択図】図６
0003209839.tif 000002
【実用新案登録請求の範囲】
【請求項１】
鉄骨フレームと面材と部材とを組み付けて、略方形状の作業床と、該床面周縁に立設した手摺りと、該作業床の前後の所定位置に等間隔に複数設けたフック掛け部と、該装置背面中央に設けたコの字形の開口部と、該作業床の裏面に突出して左右平行に設けた一対の支持フレームとを有し、該フック掛け部に外部ワイヤーを接続してクレーンで吊り上げたり、該作業床の裏側に設けた該支持フレームを油圧ショベルのアーム先端のバケットに外部金具を介して取り付け固定することが可能な構造として、これらを一体に成したことを特徴とする高所作業用足場装置。
【考案の詳細な説明】
【技術分野】
【０００１】  本考案は、高所作業に使用される足場装置に関する。
【背景技術】
【０００２】  従来より、高所作業においては、建築物等本体を利用する吊り足場工法、地盤からの組み足場工法、高所作業車の使用が一般的である。【０００３】  吊り足場工法は、建築物等本体にアンカーを設置し、これに吊りチェーン等にて作業足場を吊り下げる構造であり、組み足場工法は、地盤面から丸太及びパイプで枠組構造を形成し、本足場として組み上げる構造である。また、高所作業車は作業者を高所へ昇降する仕組み又は構造を有する車両等である。【０００４】  吊り足場工法は、全体が上空占有であるため、立地や交通の影響を受けにくい利点を有するが、アンカーやチェーン等を取り付けるため建築物等本体を損傷したり、組み立て時に時間がかかり、また、解体時に危険を伴ったりする欠点を有する。組み足場工法は、建築物等本体にアンカーやチェーンを取り付けることがないから建築物等本体を損傷することはないが、地盤面の状況によっては組み立てが不可能であり、組み立てることができる場合であっても交通等の支障をきたす欠点がある。また、高所作業車においては使用できる現場が限られる。
【考案の概要】
【考案が解決しようとする課題】
【０００５】  上述のような吊り足場工法に見られるような建築物等本体を損傷したり、組み足場工法に見られるような危険や交通の支障などの欠点を解決するとともに、高所作業車の利便性を図り、高所作業の効率化と安全を確保しようとするものである。【０００６】本考案は、高所作業に使用される足場装置に関し、必要な場所に足場を容易に設けることができ、しかも、簡単に移設できる高所作業用足場装置を提供しようとするものである。
【課題を解決するための手段】
【０００７】  鉄骨フレームと面材と部材とを組み付けて、略方形状の作業床１と、該床面周縁に立設した手摺り２と、該作業床１の前後の所定位置に等間隔に複数設けたフック掛け部３と、該装置背面中央に設けたコの字形の開口部４と、該作業床１の裏面に突出して左右平行に設けた一対の支持フレーム５とを有し、該フック掛け部３に外部ワイヤーを接続してクレーンで吊り上げたり、該作業床１の裏側に設けた該支持フレーム５を油圧ショベルのアーム先端のバケットに外部金具を介して取り付け固定することが可能な構造として、これらを一体に成したことを特徴とした。
【考案の効果】
【０００８】  本考案によれば、該高所作業用足場装置に設けたフック掛け部に外部ワイヤーを接続することで、クレーンで吊り上げ、空中に作業用足場を設けることができる。【０００９】  また、該高所作業用足場装置の該作業床の裏側に設けた支持フレームを油圧ショベルのアーム先端のバケットに外部金具を介して取り付け固定することで、昇降や移設も短時間かつ簡単におこなうことが可能な作業用足場を設置することができる。【００１０】  したがって、本考案によれば、効率的かつ安全な高所作業用足場を提供することが可能である。
【図面の簡単な説明】
【００１１】
【図１】  本考案に於ける高所作業用足場装置の正面図である。
【図２】  本考案に於ける高所作業用足場装置の背面図である。
【図３】  本考案に於ける高所作業用足場装置の右側面図である。
【図４】  本考案に於ける高所作業用足場装置の左側面図である。
【図５】  本考案に於ける高所作業用足場装置の平面図である。
【図６】  本考案に於ける高所作業用足場装置の底面図である。
【考案を実施するための形態】
【００１２】  以下、本考案の実施の形態について、図面を参照して説明する。
図１・図２・図３・図４・図５・図６に示すように、鉄骨フレームと面材と部材とを組み付けて、略方形状の作業床１と、該床面周縁に立設した手摺り２と、該作業床１の前後の所定位置に等間隔に複数設けたフック掛け部３と、該装置背面中央に設けたコの字形の開口部４と、該作業床１の裏面に突出して左右平行に設けた一対の支持フレーム５とを有し、該フック掛け部３に外部ワイヤーを接続してクレーンで吊り上げたり、該作業床１の裏側に設けた該支持フレーム５を油圧ショベルのアーム先端のバケットに外部金具を介して取り付け固定することが可能な構造として、これらを一体に成したことを特徴とした。
【００１３】但し、該高所作業用足場装置を油圧ショベルのアーム先端のバケットに取り付け固定する際には、別に、取り付けに適当なアングルやボルト・ナット等の介在を必要とする。
【符号の説明】
【００１４】１    作業床
２    手摺り
３    フック掛け部
４    開口部
５    支持フレーム
【図１】
0003209839.tif 000003
【図２】
0003209839.tif 000004
【図３】
0003209839.tif 000005
【図４】
0003209839.tif 000006
【図５】
0003209839.tif 000007
【図６】
0003209839.tif 000008
【手続補正書】
【提出日】平成29年1月24日(2017.1.24)
【手続補正１】
【補正対象書類名】実用新案登録請求の範囲
【補正対象項目名】全文
【補正方法】変更
【補正の内容】
【実用新案登録請求の範囲】
【請求項１】
高所作業用足場装置であって、鉄骨フレームと面材と部材とを組み付けて、略方形状の作業床と、該床面周縁に立設した手摺りと、該作業床の前後の所定位置に等間隔に複数設けたフック掛け部と、該装置背面中央に設けたコの字形の開口部と、該作業床の裏面に突出して左右平行に設けた一対の支持フレームとを有し、該フック掛け部に外部ワイヤーを接続してクレーンで吊り上げたり、該作業床の裏側に設けた該支持フレームを油圧ショベルのアーム先端のバケットに外部金具を介して取り付け固定することが可能な構造として、これらを一体に成したことを特徴とする高所作業用足場装置。
(57)【要約】      （修正有）【課題】固定の羽根を設けることにより、ルアー本体の軽量化を図り少ない動きで細かく早い動きを可能とするルアーを提供する。【解決手段】ルアー本体に先細り形状の羽根４を一体化させる事により、従来の金属パーツを多数使用したルアーに比べパーツ減少による軽量化を図る事が可能となる。固定羽根を前方につける事が可能となる事により先重りを防ぐ事が出来る。羽根部分を先細り形状にする事により水切れが良くなり羽根にかかる抵抗が小さい場合にも多くの動きを生む事が可能となる。羽根接合部の軽量化により従来のルアーに比べルアー本体のスリム化を図る事が可能となる。上記の効果により魚に対するアピールを可能とする釣具用ルアーの提供を可能とする。【選択図】図１
0003209842.tif 000002
【実用新案登録請求の範囲】
【請求項１】
ルアー本体と羽根を固定した釣り具用ルアーであり、ルアー本体と羽根との接合部が可動しない、左右対称の羽根を有するルアーである。
【請求項２】
羽根形状は先細りとし、ルアー本体と同等またはそれ以下の大きさとする請求項１のルアーである。
【考案の詳細な説明】
【技術分野】
【０００１】釣り具用ルアー
【背景技術】
【０００２】
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】固定の羽根を設けることにより、ルアー本体の軽量化を図り少ない動きで細かく早い動きを可能とするルアーの提供である。
【課題を解決するための手段】ルアー本体に先細り形状の羽根を一体化させる事により、従来の金属パーツを多数使用したルアーに比べパーツ減少による軽量化を図る事が可能となる。
固定羽根を前方につける事が可能となる事により先重りを防ぐ事が出来る。
羽根部分を先細り形状にする事により水切れが良くなり羽根にかかる抵抗が小さい場合にも多くの動きを生む事が可能となる。
羽根接合部の軽量化により従来のルアーに比べルアー本体のスリム化を図る事が可能となる。
上記の効果により魚に対するアピールを可能とする釣具用ルアーの提供を可能とする。
【図面の簡単な説明】
【図１】本考案の代表図面である
【符号説明】
１  ヒートン
２  ヒートン
３  ヒートン
４  羽根
５  ルアー
【図１】
0003209842.tif 000003